【事件の表示】
　特願２００７−５５０７０２号「磁気蓄熱器、磁気蓄熱器を製造する方法、能動磁気冷凍機を製造する方法、および能動磁気冷凍機」拒絶査定不服審判事件〔平成１８年７月２０日国際公開、ＷＯ２００６／０７４７９０、平成２０年７月２４日国内公表、特表２００８−５２７３０１号〕について、次のとおり審決する。
【結　論】
　本件審判の請求は、成り立たない。
【理　由】
１．手続の経緯・本願発明
　本願は、２００５年１２月１９日（パリ条約による優先権主張外国庁受理２００５年１月１２日、米国)を国際出願日とする出願であって、その請求項１に係る発明は、平成２５年５月３０日付け手続補正書により補正された特許請求の範囲の請求項１に記載された次のとおりのものである（以下「本願発明」という。）。
「能動磁気冷凍機用の磁気蓄熱器を製造する方法であって、
　熱伝達流体の流れのための、内部を貫通する経路としての複数の個別のチャネルを有するように、磁気熱量材料を含むスラリまたはペーストから磁気蓄熱器を形成するステップと、
　前記磁気熱量材料および／または前記スラリもしくはペーストの組成を変更して、前記磁気蓄熱器の磁気転位温度を前記チャネルに沿って変化させるステップと
を含む方法。」
　
２．引用刊行物
（１）引用刊行物１
　これに対して、当審で通知した拒絶の理由に引用され、本願優先日前に頒布された国際公開第２００４／０５９２２１号（以下「引用刊行物１」という。）には、METHOD AND DEVICE FOR CONTINUOUS GENERATION OF COLD AND HEAT BY MEANS OF THE MAGNETO-CALORIFIC EFFECT（電磁熱効果による冷気及び熱の連続生成方法および装置）に関して、図１〜１２とともに以下の事項が記載されている。（なお、アクサンは省略した。また、和訳はパテントファミリーである特表２００６−５１２５５６号公報を参考にした。）
ア．「5. Dispositif pour generer du froid et de la chaleur par effet magneto-calorique comportant au moins un echangeur de chaleur, caracterise en ce qu'il comprend :
- une enceinte (11) divisee en un premier et un second compartiment (12, 13) juxtaposes et separes par une cloison (14), ladite enceinte (11) contenant un element rotatif (15) monte transversalement par rapport aux compartiments (12,13) et tournant autour d'un axe dispose dans le plan de la cloison (14), afin qu'il soit situe simultanement et partiellement dans lesdits premier et second compartiments (12,13),
- un premier circuit (17a), dit circuit chaud, connecte audit premier compartiment (12) de ladite enceinte (11) et comprenant un premier echangeur de chaleur (18), dans lequel circule un premier fluide caloporteur, ledit premier echangeur etant connecte a un circuit d'utilisation de la chaleur (19),
- un second circuit (17b), dit circuit froid, connecte audit second compartiment (13) de ladite enceinte (11) et comprenant un second echangeur de chaleur (21), dans lequel circule un second fluide caloporteur, ledit second echangeur etant connecte a un circuit d'utilisation du froid (22), et
- des moyens magnetiques (16) pour generer un champ magnetique dans ledit premier compartiment (12), au moins dans la zone correspondant audit element rotatif (15), ledit element rotatif comportant au moins un materiau magneto-calorique agence pour subir une elevation de temperature lorsqu'il passe dans le premier compartiment (12) soumis au champ magnetique et un refroidissement lorsqu'il passe dans le second compartiment (13) non soumis au champ magnetique. 」（請求の範囲の５項、第１９頁第６〜末行、和訳：以下を含むことを特徴とする、少なくとも1台の熱交換器を含む電磁熱効果による冷気および熱の生成のための装置。
−同時にかつ部分的に第１および第２区画（１２，１３）の中に位置するように区画（１２，１３）に関して横断方向に取付けられるとともに、仕切り（１４）の面に配置される軸の周りを回転する１つの回転要素（１５）を含む1枚の仕切り（１４）により並置され分離される第１および第２区画（１２，１３）に分割される１つの区域（１１）、
−前記区域（１１）の前記第１区画（１２）に接続されるとともに、第１冷却液が循環し、熱の利用回路（１９）に接続される第１熱交換器（１８）を含む第１回路（１７a）すなわち熱回路、
−前記区域（１１）の前記第２区画（１３）に接続されるとともに、第２冷却液が循環し、熱の利用回路（２２）に接続される第２熱交換器（２１）を含む第２回路（１７b）すなわち冷却回路、および
−少なくとも、磁場を受ける第１区画（１２）を通るとき温度の上昇、ならびに磁場を受けない第２区画（１３）を通るとき冷却を受けるために設けられる少なくとも１種類の電磁熱材料を含む前記回転要素（１５）に対応する領域内にある前記第１区画（１２）に磁場を発生させるための磁気手段（１６）。（特表２００６−５１２５５６号公報の【特許請求の範囲】の【請求項５】参照。以下同様。））
イ．「L'element rotatif 15 qui, dans cette forme de realisation, est constitue d'un seul element cylindrique, est monte transversalement par rapport aux deux compartiments 12 et 13 de telle maniere qu'il soit situe simultanement et partiellement dans ledit premier compartiment 12 et dans ledit second compartiment 13. Cet element rotatif 15 est constitue au moins partiellement d'au moins un materiau magneto-calorique et comporte des passages traversants 25 debouchant sur ses deux faces et permettant aux deux parties de chaque compartiment 12 et 13 situees de part et d'autre de l'element rotatif 15 de communiquer entre elles.」（第８頁第１６〜２４行、和訳：この実施形態の唯一の円筒要素から構成される回転要素１５は、同時にかつ部分的に前記第１区画１２および前記第２区画１３中に位置するよう２つの区画１２および１３に関して横断方向に取付けられる。この回転要素１５は少なくとも部分的に、少なくとも１種類の電磁熱材料で構成されるとともに、その両面に到達し、回転要素１５の両側に位置する各区画１２および１３の２ヶ所で、これらの間を行き来することを可能にする貫通路２５を含む。（段落【００３３】））
ウ．「Les passages traversants 25 de l'element rotatif 15 debouchent a leurs deux extremites sur chacune des faces de l'element 15 afin que ces passages communiquent avec chacune des deux parties de chaque compartiment 12,13 situees de part et d'autre dudit element rotatif 15. Ces passages 25 peuvent tre definis par une structure alveolaire de type nid d'abeille ou formes par des tubes creux parallelement a l'axe 9 de l'element rotatif 15. Ils peuvent egalement tre definis par une structure poreuse du materiau de l'element rotatif 15.
　
　・・・（中略）・・・
　
Le fonctionnement du dispositif 10 est base sur le procede dans lequel l'element rotatif 15 etant mis en rotation au moyen d'un moteur d'entrainement (non represente), la partie dudit element rotatif 15 situee dans le champ magnetique genere par les moyens magnetiques 16 perd son entropie en subissant une elevation de temperature. Dans le mme temps, le premier fluide caloporteur du circuit 17a mis en mouvement par la premiere pompe 19 et circulant dans le sens inverse du second fluide caloporteur du second circuit 17b, entre dans le premier compartiment 12 a une temperature TC1 donnee et traverse, par l'intermediaire des passages traversants 25, la partie de l'element rotatif 15 soumise a l'elevation de temperature. Le premier fluide caloporteur subit dans cette partie de l'element rotatif 15 une elevation de temperature par transfert de chaleur. A la sortie du premier compartiment 12, ledit fluide caloporteur a alors une temperature TC2, superieure a TC1.・・・（中略）・・・
　
Pendant qu'une premiere partie de l'element rotatif 15 est soumise a une rotation et subit une elevation de temperature en passant dans le champ magnetique genere par les moyens magnetiques 16, une seconde partie de l'element rotatif 15 situee hors dudit champ magnetique se demagnetise en se refroidissant. Lorsque ladite premiere partie quitte le champ magnetique par rotation de l'element rotatif en se demagnetisant et se refroidissant, cette seconde partie est a son tour exposee au champ magnetique et perd son entropie en subissant une elevation de temperature. La partie precedemment soumise a une elevation de temperature quitte le champ magnetique genere par les moyens magnetiques 16, et se demagnetise en se refroidissant jusqu'a une temperature donnee. Dans le mme temps, le second fluide caloporteur circulant dans le second circuit 17b dit circuit froid, mis en circulation par la seconde pompe 24, entre dans le second compartiment 13 a une temperature Tf1 donnee et traverse, par l'intermediaire des passages traversants 25 de l'element rotatif 15, ladite partie de l'element soumise a un refroidissement. Ce second fluide caloporteur subit un refroidissement dans cette partie de l'element rotatif 15 et sort du compartiment 13 a une temperature Tf2 inferieure a Tf1.・・・（中略）・・・Le froid emmagasine par ce fluide peut tre utilise dans n'importe quelle application du froid, notamment pour le refroidissement d'une armoire frigorifique, d'un circuit de climatisation ou similaire.」（第９頁第２４行〜第１１頁第２１行、和訳：回転要素１５の貫通路２５は、これらの通路が前記回転要素１５の両側に位置する各区画１２および１３の２ヶ所それぞれと行き来するように、これら２ヶ所の端部で要素１５の各面上に届く。これらの通路２５は蜂の巣タイプの胞状構造により定められるか、または回転要素１５の軸９に平行な中空管によって形成されることが可能である。これらは、また、回転要素１５の材料の多孔性構造により定められることができる。
　
・・・（中略）・・・
　
　装置１０の機能は回転要素１５が駆動モーター（図示されず）によって回転させられる方法に基づいており、磁気手段１６によって発生する磁場内に位置する前記回転要素１５の部分は温度の上昇を受けて、そのエントロピーを失う。同時に、第１ポンプ１９により第２回路１７ｂの第２冷却液の反対方向への移動とともに循環させられる第1冷却液１７ａは、決められたある温度ＴＣ１の第1区画１２の中に入るとともに、貫通路２５を介して横断し、回転要素１５の部分は温度の上昇を受ける。第1冷却液は回転要素１５のこの部分で熱の移動による温度の上昇を受ける。第１区画１２の出口で前記冷却液はこのときＴＣ１より高い温度ＴＣ２を有する。・・・（中略）・・・
　
　回転要素１５の第１部分が回転し、磁気手段１６によって生ずる磁場を通って温度が上昇する間、前記磁場の範囲外にある回転要素１５の第２部分は冷えながら磁化率が低下する。前記第１部分が回転要素の回転により磁化率が低下し、冷えながら磁場を去ると、今度は第２部分が磁場にさらされ、温度の上昇を受けながらそのエントロピーを失う。先行して温度の上昇を受けた部分は、磁気手段１６によって生じた磁場を去り、一定の温度まで冷えながら磁化率が低下する。同時に、第２ポンプ２４によって循環させられ、第２回路１７ｂすなわち冷却回路中を循環する第２冷却液は、与えられた温度Ｔｆ１の第２区画１３の中に入り、回転要素１５の貫通路２５を介して冷却を受ける要素の前記部分を通過する。この第２冷却液は、回転要素１５のこの部分の中で冷却を受けるとともに、温度Ｔｆ１より低いＴｆ２の区画１３から出る。・・・（中略）・・・この流体により蓄えられた冷気は、冷気の任意の用途、特に、空調装置または類似の冷凍機の冷却のために利用されることが可能である。（段落【００３５】〜【００３８】））
エ．「Dans la forme de realisation representee par la figure 4, l'element rotatif 15 est constitue de plusieurs disques 30 montes coaxialement. Ces disques ont le meme diametre et peuvent tre de meme epaisseur ou d'epaisseurs differentes. Ils sont soit colles par leurs faces, soit assembles par n'importe quel moyen approprie. Chaque disque comporte un ensemble de passages traversants 25 qui communiquent avec les passages du ou des disques adjacents pour deboucher sur chaque face de l'element rotatif 15 ainsi forme. 
Chaque disque est constitue d'un materiau magneto-calorique different. Le nombre des disques depend du nombre des materiaux magneto-caloriques devant constituer l'element rotatif 15. Ces materiaux sont definis en fonction de l'application du dispositif 10 de generation du froid et de la chaleur. Pour une application donnee, les materiaux magneto-caloriques sont choisis en fonction de leurs temperatures de Curie. Ces temperatures correspondent en effet a certains parametres requis pour atteindre les temperatures qu'exige l'application. Les materiaux magneto-caloriques dont la temperature de Curie est comprise entre 0 ℃ et-5 ℃ sont par exemple appropries pour des applications de climatisation, ceux dont la temperature de Curie est comprise entre 40 ℃ et 70 ℃, et de preference les materiaux magneto-caloriques dont la temperature de Curie est d'environ 60 ℃, sont appropries pour des applications de chauffage et les materiaux magneto-caloriques dont la temperature de Curie est comprise entre-10 ℃ et 70 ℃ sont appropries pour le stockage de l'energie.」（第１４頁第１０〜末行、和訳：図４により示される実施形態で、回転要素１５は軸を同じくして取付けられるいくつかの円盤３０で構成される。これらの円盤は同一の直径を有するとともに、同一の厚さあるいは違う厚さを有することが可能である。これらは自身の面で接着されたり、任意の適切な手段により組立てられたりする。各円盤はこのように形成される回転要素１５の各面に届くために通路あるいは隣接する円盤と行き来する一連の貫通路２５を含む。
　各円盤は様々な電磁熱材料で構成される。円盤の数は回転要素１５を構成する前の電磁熱材料の数に依存する。これらの材料は冷気と熱の発生装置１０の用途に応じて定まる。与えられたある用途のために、電磁熱材料はそれらのキュリー温度に応じて選択される。これらの温度は、実は用途に求められる温度に到達するのに必要とされるある特定のパラメーターに対応する。キュリー温度が０℃〜５℃の間にある電磁熱材料は、例えば空調用途向けに適合させられる。キュリー温度が４０℃〜７０℃の間にあるものや、キュリー温度がおよそ６０℃であるのが好ましい電磁熱材料は、加熱の用途向けに適合させられ、キュリー温度が−１０℃〜７０℃の間にある電磁熱材料はエネルギーを蓄えるために適合させられる。（段落【００４９】及び【００５０】））
オ．図４には、回転要素１５である、積層された複数の円盤３０を貫通して、回転要素１５の軸方向の両面に達する、複数の貫通孔２５が図示される。
　上記ア．〜エ．の記載事項及びオ．の図示内容を総合すると、引用刊行物１には、以下の発明（以下「引用発明」という。）が記載されていると認められる。
「仕切り１４により並置され分離される第１および第２区画１２，１３と、
第１および第２区画１２，１３の中に位置するように区画１２，１３に関して横断方向に取付けられる仕切り１４の面に配置される軸の周りを回転する１つの回転要素１５を含む仕切り１４により並置され分離される第１および第２区画１２，１３と、
第１区画１２において、第１冷却液が循環し、第１熱交換器１８を含む第１回路１７aすなわち熱回路と、
第２区画１３において、第２冷却液が循環し、第２熱交換器２１を含む第２回路１７bすなわち冷却回路と、
磁場を受ける第１区画１２を通るとき温度の上昇、ならびに磁場を受けない第２区画１３を通るとき冷却を受けるために設けられる、少なくとも１種類の電磁熱材料を含む回転要素１５に対応する領域内の第１区画１２に磁場を発生させるための磁気手段１６を含む、
熱交換器を含む電磁熱効果による冷気および熱の生成のための装置を用いた冷凍機のための、
電磁熱材料を含む回転要素１５の製造する方法であって、
　回転要素１５が、キュリー温度に応じて選択され、様々な電磁熱材料で構成される、同一の直径を有する、いくつかの円盤３０を、自身の面で接着され又は組立てられ、
回転要素１５の両端の各面に届く複数の一連の貫通路２５を有し、貫通路２５は回転要素１５の両側に位置する各区画をそれぞれと行き来するようになっていて、第１及び２冷却液は貫通路２５を介して回転要素１５を横断するように形成されることを含み、
　熱回路の第１冷却液が回転要素１５の磁場を受ける第１区画１２を通るとき、温度の上昇を受けて一方の端の面における冷却液の温度ＴＣ２は、他方の端の面における冷却液の温度ＴＣ１より高い温度となり、
冷却回路の第２冷却液が回転要素１５の磁場を受けない第２区画１３を通るとき、冷却を受けて、一方の端の面における冷却液の温度Ｔｆ１は、他方の端の面における冷却液の温度Ｔｆ２より高い温度となるものである方法。」
　
（２）引用刊行物２
　同じく引用され、本願優先日前に頒布された特開２００２−１０６９９９号公報（以下「引用刊行物２」という。）には、磁気冷凍装置に関して、図１〜２０とともに以下の事項が記載されている。
ア．「磁気作業物質の高温側と低温側では大きな温度差を生じる。一般に磁気作業物質の磁気熱量効果はその温度に依存し、原材料によって磁気熱量効果が最大になる温度が異なる。
　・・・（中略）・・・
　図７に示したものは、使用温度により磁気熱量効果の異なる粉粒体を温度分布に適合する数種類の磁気作業物質６１，６２，６３を層状に配設したものである。・・・（中略）・・・このような構成によれば、各磁気作業物質６１，６２，６３が、それらの最適温度状態において、最大磁気熱量効果を発揮するので、冷凍能力が向上する。」（段落【００５６】〜【００５８】）
　
（３）引用刊行物３
　同じく引用され、本願優先日前に頒布された特開２００３−２８５３２号公報（以下「引用刊行物３」という。）には、磁気冷凍作業物質および蓄冷式熱交換器ならびに磁気冷凍装置に関して、図１〜１１とともに以下の事項が記載されている。
ア．「本発明者は、強磁性から常磁性に一次相転移を示すＭｎＡｓの磁気相転移を詳細に検討した結果、ＭｎＡｓのＡｓの一部を第３元素で置換した物質が、室温付近にキュリー温度を有し、大きな磁気熱量効果を示し、かつキュリー温度が組成調整により広い範囲で調整可能であることを見出し、本発明に至った。
　・・・（中略）・・・本発明による磁気冷凍作業物質は、冷蔵庫、冷凍庫やエアコンなどの室温付近に動作温度範囲を有する蓄冷式熱交換器および磁気冷凍装置用の磁気冷凍作業物質として好適に用いられる。第３元素はＳｂであることが好ましく、さらに第４元素を含んでもよい。」（段落【００１９】及び【００２０】）
イ．「まず、所定の組成のＭｎＡｓ1-xＳｂxが得られるように、Ｍｎ、ＡｓおよびＳｂを反応容器（例えば石英管）に入れて、その内部を真空（例えば、１Ｐａ以下）に排気し密閉する。・・・（中略）・・・
　この反応容器を加熱し、６００℃〜１０００℃の温度に保持する・・・（中略）・・・この工程を焼成工程と呼ぶことにする。・・・（中略）・・・
　焼成工程の後、反応容器を室温付近まで冷却して焼成体（反応生成物）を取り出す。この後、得られた焼成体（ケーキ）を粉砕して、６００℃〜１０００℃で再度焼成するという工程を繰り返すことが好ましい。再焼成工程を実行することによって、焼成体中のＭｎＡｓ1-xＳｂxの組成分布が均一となり、焼成体のキュリー温度の分布を狭くすることできる。
　このようにして得られたＭｎＡｓ1-xＳｂxの焼成体（ケーキ）を所望の形態に加工し、蓄冷部材を作製する。例えば、フィルム状（板状または層状）に加工してもよいし、必要に応じて粉砕され、ＭｎＡｓ1-xＳｂx粉末としてもよい。」（段落【００２９】〜【００３２】）
ウ．「次に、図９を参照しながら、本発明による磁気冷凍作業物質を含む蓄冷部材１０の例を説明する。この蓄冷部材１０は、磁気冷凍装置１００の蓄冷部材１０Ａおよび１０Ｂとして好適に用いることができる。蓄冷部材１０は、容器（例えば円筒状）１２と、容器１２内に収容された複数の磁気冷凍作業物質層１６と、容器１２と磁気冷凍作業物質層１６との間および互いに隣接する磁気冷凍作業物質層１６の間に設けられたメッシュ１４とを有している。容器１２は、例えば、図８に示した熱交換用チューブ３２または３４に接続される熱交換用液体出入り口１８ａおよび１８ｂを有している。・・・（中略）・・・
　磁気冷凍作業物質層１６は、例えば以下のようにして作製される。まず、上述した方法で、Ｍｎ（Ａｓ1-xＳｂx）ｘ＝０．０１５，０．０３，０．０６，０．０７，０．０８，０．０９，０．１０，０．１１，０．１２，０．１３，０．１４，０．１５，０．１６および０．１７のキュリー温度が互いに異なる１４種類の焼成体を作製する。それぞれの焼成体を粉砕することによって、直径０．３ｍｍの粉末（１４種類）を調製する。
　この磁気冷凍作業物質の粉末を、例えば内径２５ｍｍ、内法の深さ７０ｍｍの容器１２に、それぞれの層１６の厚さが５ｍｍとなるように充填する。磁気冷凍作業物質を充填する順序、すなわち磁気冷凍作業物質層１６の積層順序は、ｘ＝０．０１５から順にｘの値が大きくなる順（キュリー温度が低くなる順）で行う。また、各層１６の間には、ナイロン製のメッシュを挟む。このようにして、キュリー温度が互いに異なる１４の磁気冷凍作業物質層１６をキュリー温度の順に従って積層する。磁気冷凍作業物質層１６の全体の厚さは約７０ｍｍとなる。この積層方向は、容器１２中を流れる熱交換用液体の流れの方向と平行または反平行となるように設定されている。図８に示した磁気冷凍装置１００の蓄冷部材１０Ａおよび１０Ｂのそれぞれに蓄冷部材１０を用いる場合、蓄冷部材１０Ａおよび１０Ｂ内の磁気冷凍作業物質層１６の積層順序（ｘの値の大きさの順、すなわち、キュリー温度の順）が磁界に対して同じになるように配置する必要がある。」（段落【００６９】〜【００７１】）
　
３．対比・判断
　本願発明と引用発明とを対比すると、後者の「電磁熱材料」は、その機能・構成からみて、前者の「磁気熱量材料」に相当し、以下同様に、後者の「第１冷却液」及び「第２冷却液」は前者の「熱伝達流体」に、後者の「キュリー温度」は前者の「磁気転位温度」に、後者の「仕切り１４により並置され分離される第１および第２区画１２，１３と、
第１および第２区画１２，１３の中に位置するように区画１２，１３に関して横断方向に取付けられる仕切り１４の面に配置される軸の周りを回転する１つの回転要素１５を含む仕切り１４により並置され分離される第１および第２区画１２，１３と、
第１区画１２において、第１冷却液が循環し、第１熱交換器１８を含む第１回路１７aすなわち熱回路と、
第２区画１３において、第２冷却液が循環し、第２熱交換器２１を含む第２回路１７bすなわち冷却回路と、
磁場を受ける第１区画１２を通るとき温度の上昇、ならびに磁場を受けない第２区画１３を通るとき冷却を受けるために設けられる、少なくとも１種類の電磁熱材料を含む回転要素１５に対応する領域内の第１区画１２に磁場を発生させるための磁気手段１６を含む、
熱交換器を含む電磁熱効果による冷気および熱の生成のための装置を用いた冷凍機」は前者の「能動磁気冷凍機」に、後者の「電磁熱材料を含む回転要素１５」は前者の「磁気蓄熱器」にそれぞれ相当する。
　また、後者は「回転要素１５の両端の各面に届く複数の一連の貫通路２５を有し、貫通路２５は回転要素１５の両側に位置する各区画をそれぞれと行き来するようになっていて、第１及び２冷却液は貫通路２５を介して回転要素１５を横断するように形成される」から、後者の「複数の一連の貫通路２５」は前者の「熱伝達流体の流れのための、内部を貫通する経路としての複数の個別のチャネル」に相当する。
　そして、後者の「電磁熱材料を含む回転要素１５」の製造については、「キュリー温度に応じて選択され、様々な電磁熱材料で構成される、同一の直径を有する、いくつかの円盤３０を、自身の面で接着され又は組立てられ」た「回転要素１５」に上記の「複数の一連の貫通路２５」が形成されるステップを含むといえる。
　そうすると、両者は、
「能動磁気冷凍機用の磁気蓄熱器を製造する方法であって、
　熱伝達流体の流れのための、内部を貫通する経路としての複数の個別のチャネルを有するように、磁気熱量材料を含む磁気蓄熱器を形成するステップと
を含む方法。」である点で一致し、以下の点で相違しているものと認められる。
　
相違点：本願発明が、磁気蓄熱器を形成するステップについて「磁気熱量材料を含むスラリまたはペーストから磁気蓄熱器を形成する」ものであって、さらに「磁気熱量材料および／または前記スラリもしくはペーストの組成を変更して、前記磁気蓄熱器の磁気転位温度を前記チャネルに沿って変化させるステップ」を含んでいるのに対して、引用発明は、電磁熱材料を含む回転要素１５の製造について、スラリまたはペーストから形成するか否か不明であり、「回転要素１５が、キュリー温度に応じて選択され、様々な電磁熱材料で構成される」ものの、キュリー温度を貫通路２５に沿って変化させるものかどうかも不明である点。
　
　そこで、上記相違点について検討する。
　引用刊行物２には、磁気冷凍装置において、磁気作業物質の高温側と低温側では大きな温度差を生じ、磁気作業物質の磁気熱量効果はその温度に依存し、原材料によって磁気熱量効果が最大になる温度が異なることから、温度分布に適合する数種類の磁気作業物質６１，６２，６３を層状に配設することで、各磁気作業物質６１，６２，６３が、それらの最適温度状態において、最大磁気熱量効果を発揮するので、冷凍能力が向上することが記載されている。そして温度分布に適合するように層状に配設することから、磁気作業物質の高温側と低温側の間で配設するものと解される。
　また、引用刊行物３にも、磁気冷凍作業物質であるＭｎＡｓ1-xＳｂxの組成を変えてキュリー温度が互いに異なる１４種類の焼成体を作製し、磁気冷凍作業物質層１６をキュリー温度の順に従って積層した、磁気冷凍装置１００の蓄冷部材１０が示されている。
　
　引用発明の電磁熱材料を含む回転要素１５について、「熱回路の第１冷却液が回転要素１５の磁場を受ける第１区画１２を通るとき、温度の上昇を受けて一方の端の面における冷却液の温度ＴＣ２は、他方の端の面における冷却液の温度ＴＣ１より高い温度となり、
冷却回路の第２冷却液が回転要素１５の磁場を受けない第２区画１３を通るとき、冷却を受けて、一方の端の面における冷却液の温度Ｔｆ１は、他方の端の面における冷却液の温度Ｔｆ２より高い温度となるもの」であるから、回転要素１５の一方の端は他方の端より高温であること、そして第１及び第２冷却液は回転要素１５の両端の各面に届く複数の一連の貫通路２５を通るものであることから、貫通路２５に沿って高温から低温となっていることは当業者にとって明らかである。
　
　引用発明の電磁熱材料を含む回転要素１５と、引用刊行物２の磁気作業物質は、ともに磁気冷凍装置に用いるものといえ、引用発明の電磁熱材料を含む回転要素１５は、上記したように引用刊行物２の磁気作業物質と同様に、高温側と低温側の間で貫通路２５に沿って温度差を生じているものであるから、引用刊行物２に記載の示唆に基づいて、高温側と低温側の間で、一方の端と他方の端に届く貫通路２５に沿ってキュリー温度の順に従って積層するように、キュリー温度に応じて選択される様々な電磁熱材料で構成される円盤３０を配置して回転要素１５を形成することは当業者が容易になし得たことといえる。
　
　また、引用刊行物３にも磁気冷凍作業物質をキュリー温度の順に従って積層することが示されるとともに、磁気冷凍作業物質であるＭｎＡｓ1-xＳｂxの組成を変えて焼成し、キュリー温度を変えることも示されており、上記のように引用発明の円盤３０のキュリー温度を変えるにあたり、電磁熱材料の組成を変更することは、引用刊行物３の記載に倣って当業者が適宜なし得た事項である。
　
　さらに、引用発明の円盤３０を、電磁熱材料の組成を変更してキュリー温度を異ならせて成形し製造するにあたり、スラリーやペーストから形成することは、スラリーやペーストを用いることがセラミックや陶器等でもよく知られるようにごく一般的な成形方法といえることから、当業者が適宜なし得たことといわざるを得ない。
　
　そして、スラリーやペーストを用いて成形するに際し、引用刊行物３のように電磁熱材料の組成を変更してキュリー温度を異ならせる場合には、スラリーやペーストにおける電磁熱材料の組成を変更するものとなることも、当業者が通常想定する程度のことといえる。
　
　そうすると、引用発明の回転要素１５を成形するにあたり、スラリーやペーストを用いていくつかの円盤３０を作成することを含んで成形するようになすことは当業者にとって容易であり、かつ貫通路２５に沿って回転要素１５のキュリー温度を異ならせるように円盤３０ごとにスラリーやペーストの電磁熱材料の組成を変更するステップを設けることも当業者が容易になし得たことである。
　
　そして、上記相違点に係る効果についてみても、格別であるとはいえない。
　
４．むすび
　したがって、本願発明は、引用発明、引用刊行物２及び３に記載された事項に基づいて、当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。